(57)【要約】      （修正有）【課題】底面の強度を確保しつつ、室外機側配管と室内機側配管との接続部を容易に露出させることが可能な空気調和機の室内機を提案する。【解決手段】空気調和機１の室内機２は、壁面に据え付けるための据付板６１と、下方へ開放される送風路６２と底面が開放される切欠開口部６３とを含む後本体６５と、室内機側配管７３と、室内機側配管７３の先端部に設けられて切欠開口部６３を通じて後本体６５の底面側に露出される配管接続部７５と、後本体６５の正面および側面を覆い外観を構成する前パネル６６と、送風路６２の下流端部を担う風路構成部分６８と後本体６５の底面を覆い隠す外観構成部分６９とが屈曲されて一体に含まれるとともに、後本体６５の底面に着脱自在に設けられて切欠開口部６３を塞ぐ一方、後本体６５の底面から取り外されると切欠開口部６３を通じて配管接続部７５を露出させる底面パネル７１と、を備えている。【選択図】図５
2016038174.tif 000002
【特許請求の範囲】
【請求項１】
室内機を壁面に据え付けるための据付板と、
熱交換器と送風機とを保持し、下方へ開放される送風路と底面が開放される切欠開口部とを含む後本体と、
前記室内機が壁面に据え付けられた際、前記据付板と前記後本体との間に配置されて冷媒を流通させる配管と、
前記配管の先端部に設けられて前記切欠開口部を通じて前記後本体の底面側に露出される配管接続部と、
前記後本体の正面および側面を覆い外観を構成する前パネルと、
前記送風路の下流端部を担う風路構成部分と前記後本体の底面を覆い隠す外観構成部分とが屈曲されて一体に含まれるとともに、前記後本体の底面に着脱自在に設けられて前記切欠開口部を塞ぐ一方、前記後本体の底面から取り外されると前記切欠開口部を通じて前記配管接続部を露出させる底面パネルと、を備える空気調和機の室内機。
【請求項２】
前記前パネルおよび前記底面パネルに連接され、双方のパネルに対して人の手の力程度で着脱自在に装着されて、前記底面パネルを前記後本体の底面から取り外す前に事前に取り外しが必要となる事前離脱必要部材を備える請求項１に記載の空気調和機の室内機。
【請求項３】
前記後本体から前記底面パネルを取り外すと露出され、前記後本体を前記据付板に固定する締結部材を備える請求項１または２に記載の空気調和機の室内機。
【請求項４】
前記底面パネルは、前記底面パネルを前記後本体に固定する締結部材を覆い隠すキャップを備える請求項１から３のいずれか１項に記載の空気調和機の室内機。
【請求項５】
前記底面パネルは、前記後本体に引っ掛かって前記外観構成部分を支える支持部を備える請求項１から４のいずれか１項に記載の空気調和機の室内機。
【発明の詳細な説明】
【技術分野】
【０００１】
本発明に係る実施形態は、空気調和機の室内機に関する。
【背景技術】
【０００２】
外観を構成する室内機筐体の底面に切り欠き状の開口部を設けて蓋状のカバー部材で開口部を塞ぎ、冷媒を流通させる配管を据付時に繋ぎ合わせる接続部を露出させるために、開口部から蓋部材を取り外す空気調和機の室内機が知られている。
【先行技術文献】
【特許文献】
【０００３】
【特許文献１】実公平０７−１８９０３号公報
【発明の概要】
【発明が解決しようとする課題】
【０００４】
従来の空気調和機の室内機は、室内機筐体の底面に切り欠かれた開口部のためにカバー部材自体の剛性が低下する。
【０００５】
ところで、室内機は、室外機へ冷媒を流通させる室外機側配管に接続されて、室内機内の熱交換器に冷媒を導く室内機側配管を備えている。これら室外機側配管と室内機側配管との両配管は、その敷設状態によっては両配管の復元力によって室内機筐体のカバー部材へストレスを加える場合がある。
【０００６】
そして、室内機筐体底面の剛性低下は、冷媒を流通させる両配管の復元力による室内機筐体底面の波打つような変形を招き、ひいては据付品質の低下を招く。
【０００７】
そこで、本発明は、室内機筐体底面の強度を確保しつつ、室外機側配管と室内機側配管との接続部を容易に露出させることが可能な空気調和機の室内機を提案する。
【課題を解決するための手段】
【０００８】
前記の課題を解決するため本発明の実施形態に係る空気調和機は、室内機を壁面に据え付けるための据付板と、熱交換器と送風機とを保持し、下方へ開放される送風路と底面が開放される切欠開口部とを含む後本体と、前記室内機が壁面に据え付けられた際、前記据付板と前記後本体との間に配置されて冷媒を流通させる配管と、前記配管の先端部に設けられて前記切欠開口部を通じて前記後本体の底面側に露出される配管接続部と、前記後本体の正面および左右側面を覆い外観を構成する前パネルと、前記送風路の下流端部を担う風路構成部分と前記後本体の底面を覆い隠す外観構成部分とが屈曲されて一体に含まれるとともに、前記後本体の底面に着脱自在に設けられて前記切欠開口部を塞ぐ一方、前記後本体の底面から取り外されると前記切欠開口部を通じて前記配管接続部を露出させる底面パネルと、を備えている。
【図面の簡単な説明】
【０００９】
【図１】本発明の実施形態に係る空気調和機を示すブロック図。
【図２】本発明の実施形態に係る空気調和機の室内機を示す正面図。
【図３】本発明の実施形態に係る空気調和機の室内機を示す縦断面図。
【図４】本発明の実施形態に係る空気調和機の室内機を右斜め前側から示す斜視図。
【図５】本発明の実施形態に係る空気調和機の室内機の一部を分解して右斜め前側から示す斜視図。
【図６】本発明の実施形態に係る空気調和機の底面パネルを示す平面図。
【図７】本発明の実施形態に係る空気調和機の底面パネルを示す正面図。
【図８】本発明の実施形態に係る空気調和機の底面パネルを示す底面図。
【図９】本発明の実施形態に係る空気調和機の室内機を示す断面図。
【図１０】本発明の実施形態に係る空気調和機の室内機を示す断面図。
【発明を実施するための形態】
【００１０】
本発明に係る空気調和機の室内機の実施形態について、図１から図１０を参照して説明する。
【００１１】
図１は、本発明の実施形態に係る空気調和機を示すブロック図である。
【００１２】
図１に示すように、本実施形態に係る空気調和機１は、被空調室の壁面Ｗに設置される室内機２と、屋外に設置される室外機３と、入力装置としてのリモートコントローラ５（以下、単に「リモコン５」という。）と、を備えている。
【００１３】
室内機２は、被空調室内の空気との間で熱交換を行う室内熱交換器１１と、被空調室内の空気を流動させる室内ファン１２と、室内ファン１２を駆動させるモータ１３と、モータ１３の駆動を制御する室内ファン駆動部１４と、室内ファン１２から吹き出される空気の上下方向の風向を決めるルーバ１５と、ルーバ１５を駆動させるモータ１６と、モータ１６の駆動を制御するルーバ駆動部１７と、被空調室内の温度を検知する室内温度センサ２２と、リモコン５から送られる赤外線を読み取る受光部２３と、音声発生部２６と、スピーカ２７と、ＥＥＰＲＯＭ２８と、ＲＯＭ２９と、ＲＡＭ３１と、室内制御部３２と、を備えている。
【００１４】
室外機３は、圧縮機４１と、四方弁４２と、外気との間で熱交換を行う室外熱交換器４３と、膨張弁４５と、室外ファン４６と、室外制御部４７と、を備えている。
【００１５】
冷房時には、図１中に実線矢印で示すように、圧縮機４１から吐出される冷媒は、四方弁４２を介して室外熱交換器４３へ案内される。室外熱交換器４３から流出する冷媒は、膨張弁４５、室内熱交換器１１を通って、再び四方弁４２を介して圧縮機４１へ吸い込まれる。この冷媒の実線矢印の流路（以下、単に「冷房流路」という。）によって、室外熱交換器４３は凝縮器として機能し、室内熱交換器１１は蒸発器として機能する。
【００１６】
一方、暖房時には、図１中に破線矢印で示すように、圧縮機４１から吐出される冷媒は、四方弁４２を介して室内熱交換器１１へ案内される。室内熱交換器１１から流出する冷媒は、膨張弁４５、室外熱交換器４３を通って、再び四方弁４２を介して圧縮機４１へ吸い込まれる。この冷媒の破線矢印の流路（以下、単に「暖房流路」という。）によって、室内熱交換器１１は凝縮器として機能し、室外熱交換器４３は蒸発器として機能する。
【００１７】
室外ファン４６は、室外熱交換器４３の下流側に配置されている。運転によって、室外ファン４６は、室外熱交換器４３側から熱交換後の外気を吸い込み、室外機３外へ吹き出す。
【００１８】
室内ファン１２は、室内熱交換器１１の下流側に配置されている。運転によって、室内熱交換器１１側から熱交換後の被空調室内の空気を吸い込み、ルーバ１５を経て室内機２外へ吹き出す。室内温度センサ２２は、室内熱交換器１１よりも上流側に設けられている。室内温度センサ２２は、室内機２に吸い込まれる空気の温度を検知する。
【００１９】
室内ファン駆動部１４は、室内制御部３２が出力する運転信号に従ってモータ１３を駆動させる。駆動するモータ１３は、室内ファン１２を回転させて被空調室内へ送風する。
【００２０】
ルーバ駆動部１７は、室内制御部３２が出力する運転信号に従ってモータ１６を駆動させる。駆動するモータ１６は、ルーバ１５を所定の角度範囲で回転させて、上下方向の風向を制御する。
【００２１】
ＲＯＭ２９は、書き換え不可能な記憶媒体であって、制御プログラムを記憶している。
【００２２】
ＥＥＰＲＯＭ２８は、書き換え可能な記憶媒体であって、運転条件を記憶している。
【００２３】
ＲＡＭ３１は、各種情報を一時的に記憶する。
【００２４】
音声発生部２６は、室内制御部３２から送られる各種案内情報を音声信号に変換し、スピーカ２７から被空調室に音声を発する。
【００２５】
室内制御部３２は、リモコン５から読み取る運転条件や、室内温度センサ２２から読み取る検知結果に基づいて、室外制御部４７と協働して空調運転を実行する。室外制御部４７および室内制御部３２は、信号線５２によって相互に接続されている。
【００２６】
図２は、本発明の実施形態に係る空気調和機の室内機を示す正面図である。
【００２７】
図３は、図２のＩＩＩ−ＩＩＩ線において、本発明の実施形態に係る空気調和機の室内機を示す縦断面図である。
【００２８】
図４は、本発明の実施形態に係る空気調和機の室内機を右斜め前側から示す斜視図である。
【００２９】
図５は、本発明の実施形態に係る空気調和機の室内機の一部を分解して右斜め前側から示す斜視図である。
【００３０】
図２から図５に示すように、本実施形態に係る空気調和機１の室内機２は、室内機２を例えば被空調室の壁面Ｗに据え付けるための据付板６１と、室内熱交換器１１と室内ファン１２とを保持し、下方へ開放される送風路６２と底面へ開放される切欠開口部６３とを含む後本体６５と、後本体６５の正面および側面を覆い外観を構成する前パネル６６と、送風路６２の下流端部を担う風路構成部分６８と後本体６５の底面を覆い隠す外観構成部分６９とが屈曲されて一体に含まれる底面パネル７１と、を備えている。
【００３１】
据付板６１は、室内機２の背面全域に拡がって、被空調室の平坦な壁面に沿わせて配置される。
【００３２】
切欠開口部６３は、後本体６５の底面の後端中央部に配置されている。
【００３３】
室内機２が壁面Ｗに据え付けられた際、後本体６５の下半部と据付板６１との間には、冷媒を流通させる室内機側配管７３および室外機側配管（図示省略）を配置する配管収納空間７２が区画されている。配管収納空間７２には、冷媒を流通させる室内機側配管７３が配置されている。室内機側配管７３の先端部には、切欠開口部６３を通じて後本体６５の底面側に露出される配管接続部７５が設けられている。配管接続部７５は、室外機３へ至る室外機側配管（図示省略）を配管収納空間７２の室内機側配管７３に連結する配管継手である。室内機側配管７３は、室内熱交換器１１へ冷媒を導く。
【００３４】
後本体６５の底面には、底面パネル７１を保持する引っ掛け溝６５ａが設けられている。引っ掛け溝６５ａは、後本体６５の底面の前縁部において、幅方向に複数、例えば４箇所配置されている。
【００３５】
前パネル６６は、前面枠体７６の前面を覆う前面化粧板７７と、後本体６５の左右周囲部分を覆う側面化粧板７８と、を含んでいる。
【００３６】
底面パネル７１は、後本体６５の底面側に着脱自在に設けられて切欠開口部６３を塞ぐ一方、後本体６５の底面から取り外されると切欠開口部６３を通じて配管接続部７５を露出させる。底面パネル７１は、ルーバ１５の後方に配置されて後本体６５の底部をほぼ全幅に渡って覆い、前パネル６６とともに室内機２の外観を構成している。
【００３７】
また、底面パネル７１は、底面パネル７１を後本体６５に固定する締結部材７９を覆い隠すキャップ８１を備えている。
【００３８】
室内機２は、前パネル６６および底面パネル７１に連接され、双方のパネル６６、７１に対して人の手の力程度で着脱自在に装着される配管口閉鎖カバー８２、８３を備えている。配管口閉鎖カバー８２、８３は、底面パネル７１を後本体６５の底面から取り外す前に事前に取り外しが必要となる事前離脱必要部材である。室内機２の背側底部の左右それぞれの角部分には、室外機３へ至る室外機側配管を室内機２に導入する配管導入口８５、８６がある。この配管導入口８５、８６は、室外機３へ至る室外機側配管を室内機２の左右何れの側にも配置することを可能にして室内機２の設置箇所選択の自由度を高めている。
【００３９】
配管口閉鎖カバー８２、８３は、前パネル６６および底面パネル７１に組み合わさって左右それぞれの配管導入口８５、８６を塞いでいる。室内機２は、底面パネル７１を後本体６５の底面から取り外す前に事前に取り外しが必要となる事前離脱必要部材の全てが、工具等を必要とせずに人の手の力程度で離脱可能になっている。
【００４０】
室内機２は、後本体６５から底面パネル７１を取り外すと露出され、後本体６５を据付板６１に固定する締結部材７９を備えている。締結部材７９は、後本体６５の底面を窪ませた座面に締め付けられている。
【００４１】
また、室内機２は、前パネル６６の内側に隠匿され、後本体６５の前方に組み合わされて後本体６５との間に送風路６２を隔てる前面枠体７６を備えている。室内機２内には、室内制御部３２が電気部品箱（図示省略）に収納されて配置されている。
【００４２】
さらに、室内機２は、被空調室Ｒから空気を吸い込む吸込口８７と、空調後の空気（以下、単に「空調空気」という。）を被空調室Ｒへ吹き出す吹出口８８と、を有している。吸込口８７は、室内機２の天面の略全域に渡って大きく開口されている。吹出口８８は、室内機２の底面の前半部に、幅広に開口されている。
【００４３】
吸込口８７には、送風路６２に吸い込まれる空気から塵埃を除去するエアフィルタ（図示省略）が設けられている。エアフィルタは、可撓な網目状のシートであり、容易に丸めることができる。エアフィルタの網目は、吸込口８７から吸い込まれる空気に含まれる塵埃を濾し取る。
【００４４】
吹出口８８には、ルーバ１５が設けられている。ルーバ１５は、吹出口８８の手前側と奥側と、前後方向に２枚並んで配置されている。
【００４５】
送風路６２は、室内機２内を天面側の吸込口８７から底面側の吹出口８８へと貫通している。送風路６２には、吸込口８７側から吹出口８８へ向かってエアフィルタ、室内熱交換器１１、室内ファン１２、ルーバ１５が順次に配置されている。
【００４６】
室内熱交換器１１および送風機としての室内ファン１２は、後本体６５に取り付けられて、送風路６２内に保持されている。
【００４７】
室内熱交換器１１は、室内ファン１２の上方に、逆Ｖ字状に配置される上前面熱交換器９１および上後面熱交換器９２と、室内ファン１２の前方に配置されて上前面熱交換器９１の下方に延びる下前面熱交換器９３と、を備えている。
【００４８】
下前面熱交換器９３の下方には、上前面熱交換器９１および下前面熱交換器９３から滴下する凝縮水を受ける前部ドレンパン９５が設けられている。上後面熱交換器９２の下方には、上後面熱交換器９２から滴下する凝縮水を受ける後部ドレンパン９６が設けられている。後部ドレンパン９６は、配管収納空間７２の上方に配置されている。前部ドレンパン９５および後部ドレンパン９６に受けられた凝縮水は、ドレンホース（図示省略）を通じて室外へ排出される。
【００４９】
室内ファン１２は、室内熱交換器１１に囲まれている。
【００５０】
図６は、本発明の実施形態に係る空気調和機の底面パネルを示す平面図である。
【００５１】
図７は、本発明の実施形態に係る空気調和機の底面パネルを示す正面図である。
【００５２】
図８は、本発明の実施形態に係る空気調和機の底面パネルを示す底面図である。
【００５３】
図６から図８に示すように、本実施形態に係る室内機２の底面パネル７１は、室内機２の幅方向に長い長方形状の外観構成部分６９と、外観構成部分６９よりも幅方向に長い長方形状の風路構成部分６８と、を含んでいる。
【００５４】
外観構成部分６９は、より幅広な風路構成部分６８に整合するよう前縁部分が幅広に延びており、外観構成部分６９全体ではＴ字形状に拡がっている。
【００５５】
風路構成部分６８は、外観構成部分６９の手前側の縁部に連接して送風路６２側へ屈曲している。
【００５６】
また、底面パネル７１は、後本体６５の引っ掛け溝６５ａに引っ掛かって外観構成部分６９を支える支持部９７を備えている。支持部９７は、外観構成部分６９の内面側（裏面側）であって底面パネル７１の幅方向にほぼ等間隔に離間される複数、例えば４箇所設けられている。支持部９７は、後本体６５の手前側から奥側へ向かってスライドするように引っ掛け溝６５ａに引っ掛かって外観構成部分６９を支える。
【００５７】
さらに、底面パネル７１は、外観構成部分６９と風路構成部分６８とが連接する屈曲部分であって底面パネル７１の幅方向に複数、例えば３箇所の締結部材収容部９８を備えている。締結部材収容部９８は、底面パネル７１を後本体６５に固定する締結部材７９を収容する。締結部材収容部９８は、屈曲部分の左右それぞれの端部、および屈曲部分の中央部に配置されている。
【００５８】
図９は、図３を部分的に拡大して、本発明の実施形態に係る空気調和機の室内機を示す断面図である。
【００５９】
図１０は、図２のＸ−Ｘ線において、本発明の実施形態に係る空気調和機の室内機を示す断面図である。
【００６０】
図９および図１０に示すように、本実施形態に係る室内機２のキャップ８１の外観形状は、底面パネル７１の屈曲部分に面一に倣う。キャップ８１は、締結部材収容部９８に嵌め込まれて締結部材７９を隠している。キャップ８１は、底面パネル７１の屈曲部分によって滑動自在かつ揺動自在に支持される軸９９を備えている。軸９９によって、キャップ８１は、底面パネル７１の外観構成部分６９に沿う方向へ引き出し可能であって、下方へ向かって（外観構成部分６９の表側に向かって）回転可能である。
【００６１】
先ず外観構成部分６９の面に沿う方向へキャップ８１が引き出され、次いで外観構成部分６９の表側に向かってキャップ８１が回転されることによって、締結部材７９が露出される。
【００６２】
本実施形態に係る空気調和機１の室内機２は、送風路６２の下流端部を担う風路構成部分６８と後本体６５の底面を覆い隠す外観構成部分６９とが屈曲されて一体に含まれるとともに、後本体６５の底面に着脱自在に設けられて切欠開口部６３を塞ぐ一方、後本体６５の底面から取り外されると切欠開口部６３を通じて配管接続部７５を露出させる底面パネル７１を備えることによって、室内機２の底面の剛性低下を防ぎ、冷媒を流通させる室内機側配管７３による外観の波打つような変形を抑制して、据付品質を高められる。
【００６３】
また、本実施形態に係る空気調和機１の室内機２は、前パネル６６および底面パネル７１に連接され、双方のパネル６６、７１に対して人の手の力程度で着脱自在に装着されて、底面パネル７１を後本体６５の底面から取り外す前に事前に取り外しが必要となる配管口閉鎖カバー８２、８３を備えることによって、据付性を高められる。
【００６４】
さらに、本実施形態に係る空気調和機１の室内機２は、後本体６５から底面パネル７１を取り外すと露出され、後本体６５を据付板６１に固定する締結部材７９を備えることによって、据付後においては室内機２の外観を向上させ、据付時においては据付板６１に対して後本体６５の固定を容易化できる。
【００６５】
さらにまた、本実施形態に係る空気調和機１の室内機２は、底面パネル７１を後本体６５に固定する締結部材７９を覆い隠すキャップ８１を備えることによって、風路構成部分６８における吹き出し気流の安定化、締結部材７９に凝縮水が付着することによる発錆等の問題を回避、外観品質の向上を図ることができる。
【００６６】
また、本実施形態に係る空気調和機１の室内機２は、後本体６５に引っ掛かって外観構成部分６９を支える支持部９７を備えることによって、底面パネル７１が垂れ下がることを防止できる。
【００６７】
したがって、本実施形態に空気調和機１の室内機２によれば、底面の強度を確保しつつ、室外機側配管と室内機側配管７３との配管接続部７５を容易に露出させることができる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１  空気調和機
２  室内機
３  室外機
５  リモートコントローラ
１１  室内熱交換器
１２  室内ファン
１３  モータ
１４  室内ファン駆動部
１５  ルーバ
１６  モータ
１７  ルーバ駆動部
２２  室内温度センサ
２３  受光部
２６  音声発生部
２７  スピーカ
２８  ＥＥＰＲＯＭ
２９  ＲＯＭ
３１  ＲＡＭ
３２  室内制御部
４１  圧縮機
４２  四方弁
４３  室外熱交換器
４５  膨張弁
４６  室外ファン
４７  室外制御部
５２  信号線
６１  据付板
６２  送風路
６３  切欠開口部
６５  後本体
６５ａ  引っ掛け溝
６６  前パネル
６８  風路構成部分
６９  外観構成部分
７１  底面パネル
７２  配管収納空間
７３  室内機側配管
７５  配管接続部
７６  前面枠体
７７  前面化粧板
７８  側面化粧板
７９  締結部材
８１  キャップ
８２、８３  配管口閉鎖カバー
８５、８６  配管導入口
８７  吸込口
８８  吹出口
９１  上前面熱交換器
９２  上後面熱交換器
９３  下前面熱交換器
９５  前部ドレンパン
９６  後部ドレンパン
９７  支持部
９８  締結部材収容部
９９  軸
【図１】
2016038174.tif 000003
【図２】
2016038174.tif 000004
【図３】
2016038174.tif 000005
【図４】
2016038174.tif 000006
【図５】
2016038174.tif 000007
【図６】
2016038174.tif 000008
【図７】
2016038174.tif 000009
【図８】
2016038174.tif 000010
【図９】
2016038174.tif 000011
【図１０】
2016038174.tif 000012